(57)【要約】【課題】  簡単に建物の図面を取り込むことができるとともに、正確に部材数量を算出できる外装建材積算システムを提供する。【解決手段】  建物の平面図を読み込むとともに少なくとも外壁を含む所定の部位とその平面座標と高さとを指定する入力手段２と、入力手段２によって入力された入力データから３次元外形図３４を生成する３次元処理部５と、３次元外形図３４の３次元座標から建物の各部分の面積、長さ又は周長の少なくとも一つを算出する計測処理部６と、計測処理部６によって算出された計測値と各部材の積算に使用する計測値の種類と単価が記憶された部材登録データとから各部材の積算値を算出する積算処理部７と、その積算値を出力する出力手段８とを備えている。【選択図】  図１
2007080013.tif 000002
【特許請求の範囲】
【請求項１】
建物の平面図を読み込むとともに少なくとも外壁を含む所定の部位とその平面座標と高さとを指定する入力手段と、
前記入力手段によって入力された入力データから前記建物の３次元外形図を生成する３次元処理部と、
前記３次元外形図の３次元座標から建物の各部分の面積、長さ又は周長の少なくとも一つを算出する計測処理部と、
前記計測処理部によって算出された計測値と各部材の積算に使用する計測値の種類と単価が記憶された部材登録データとから各部材の積算値を算出する積算処理部と、
前記積算値を出力する出力手段とを備えたことを特徴とする外装建材積算システム。
【請求項２】
前記入力手段によって読み込まれた平面図の直交する２軸の縮尺を同じにするひずみ処理部を備えていることを特徴とする請求項１に記載の外装建材積算システム。
【請求項３】
前記部材登録データには、各部材の使用に付随して使用される関連部材とその積算に使用する積算データとが記憶されていることを特徴とする請求項１又は２に記載の外装建材積算システム。
【請求項４】
前記出力手段は、指定した部材毎の積算結果を出力することを特徴とする請求項１乃至３のいずれかに記載の外装建材積算システム。
【発明の詳細な説明】
【技術分野】
【０００１】
本発明は、建物の図面から壁部材や屋根部材などの数量を拾い出して積算をおこなう外装建材積算システムに関するものである。
【背景技術】
【０００２】
従来、建築資材メーカの担当者は、住宅メーカや施工会社からＦＡＸなどで送られてきた建物の立面図から壁や屋根の面積や開口部の周長を測定し、必要な部材の数量を算出して積算をおこなっていた。
【０００３】
また、ＣＡＤ等で作成した設計図の電子データから部材数量の算出に必要な長さ、面積又は周長を抽出し、部材の積算をおこなう装置が知られている（特許文献１，２など参照）。
【特許文献１】特開２００５−５６２４８号公報
【特許文献２】特開平８−１６１３７２号公報
【発明の開示】
【発明が解決しようとする課題】
【０００４】
しかしながら、図面を見ながら手作業で数量を拾い出す作業は、煩雑なうえに間違いが発生しやすい。また、立面図から数量を算出する場合、出隅部や入隅部が分かり難く、見落としなどによる算出漏れが発生する可能性がある。
【０００５】
また、住宅メーカ等は複数の建築資材メーカから見積もりを取ったり、発注担当者がＣＡＤの扱いに不慣れであったり、電子データの外部への流出を防止したりする理由から、紙に印刷された図面を提示して積算を依頼する場合が多い。
【０００６】
このような場合は、上記したＣＡＤ等の電子データを利用する装置は使用できず、図面から新たにＣＡＤのデータを作成するには手間がかかる。
【０００７】
そこで、本発明は、簡単に建物の図面を取り込むことができるとともに、正確に部材数量を算出できる外装建材積算システムを提供することを目的としている。
【課題を解決するための手段】
【０００８】
前記目的を達成するために、本発明は、建物の平面図を読み込むとともに少なくとも外壁を含む所定の部位とその平面座標と高さとを指定する入力手段と、前記入力手段によって入力された入力データから前記建物の３次元外形図を生成する３次元処理部と、前記３次元外形図の３次元座標から建物の各部分の面積、長さ又は周長の少なくとも一つを算出する計測処理部と、前記計測処理部によって算出された計測値と各部材の積算に使用する計測値の種類と単価が記憶された部材登録データとから各部材の積算値を算出する積算処理部と、前記積算値を出力する出力手段とを備えた外装建材積算システムであることを特徴とする。
【０００９】
ここで、前記入力手段によって読み込まれた平面図の直交する２軸の縮尺を同じにするひずみ処理部を設けることができる。
【００１０】
また、前記部材登録データには、各部材の使用に付随して使用される関連部材とその積算に使用する積算データとを記憶させることができる。
【００１１】
さらに、前記出力手段は、指定した部材毎の積算結果を出力するように構成することができる。
【発明の効果】
【００１２】
このように構成された本発明は、入力手段によって平面図を読み込んで、その平面図と高さ情報から建物の３次元外形図を生成し、その３次元座標から算出される数量と登録された部材登録データとによって外装建材の積算をおこなう。
【００１３】
このため、平面図が入手できれば簡単、かつ正確に部材数量を算出することができる。また、建物の３次元外形図によって建物の形状を正確に把握できるので、部材の選択漏れの有無を容易に知ることができる。
【００１４】
さらに、積算に使用する部材登録データは、建物毎に作成する必要がないので、材料単価を調べたりする手間を省くことができる上に、積算結果を均一にすることができる。
【００１５】
また、平面図の２軸の縮尺を同じにするひずみ処理部を設けることによって、ＦＡＸなどで送られてきた歪んだ平面図からも正確に積算をおこなうことができる。
【００１６】
さらに、部材登録データに各部材の使用に付随して使用される関連部材の情報を記憶させておくことで、必要な部材を漏れなく一括して積算することができる。
【００１７】
また、部材毎に積算結果を出力することで、部材を取り扱う建築資材メーカ毎の積算表を容易に作成することができる。
【発明を実施するための最良の形態】
【００１８】
以下、本発明の最良の実施の形態について図面を参照して説明する。
【００１９】
図１は、本実施の形態の外装建材積算システム１の概略構成を示した図である。
【００２０】
この外装建材積算システム１は、建物の平面図の読み込みなどをおこなう入力手段２と、入力手段２によって入力された入力データを処理する演算装置３と、演算装置３の演算結果を出力する出力手段８とを備えている。
【００２１】
この入力手段２は、紙に印刷された平面図や立面図を読み込むスキャナ２ａ、モニタ８ｂに映し出された図面上に線を描画したりメニューを選択したりする際に使用するマウス２ｂ、数値や名称を入力する際に使用するキーボード２ｃなどから構成される。
【００２２】
また、演算装置３には、図面のひずみを修正するひずみ処理部４と、平面図と高さの情報から３次元外形図を生成させる３次元処理部５と、各部の面積、長さ又は周長を算出する計測処理部６と、計測処理部６によって算出された計測値と各部材の部材登録データとから各部材の積算値を算出する積算処理部７とから主に構成される。
【００２３】
このひずみ処理部４では、ＦＡＸなどで送られたり、コピーを繰り返したりして縦軸と横軸の比率が歪んでしまった図面のひずみを修正する。
【００２４】
例えば、図４に示すように縦（Ｙ軸）方向の縮尺が横（Ｘ軸）方向の縮尺より小さい図面を読み込んだ場合に、長さが図面上に記されているＸ軸方向とＹ軸方向の線分をそれぞれ選択するとともに、それらの線分の画面上の長さを算出し、この算出値と実際の長さの比率（縮尺）が縦横で同じになるように調整する。
【００２５】
この図４では、縦方向の縮尺が小さいので縦方向の縮尺を横方向の縮尺と同じになるまで伸ばすか、横方向の縮尺を縮めるか、双方向の縮尺を伸縮させて一致させるかのいずれかの方法によって縦横の縮尺を同じにする。
【００２６】
また、３次元処理部５では、入力手段２によって読み込まれた平面図の外壁（図５の壁線２４ａ等参照）を指定することによって取得された平面座標と、図５の高さ入力欄２２に入力された高さ情報とによって、平面図から３次元外形図３４（図９参照）を生成する。
【００２７】
さらに、計測処理部６では、３次元外形図３４の３次元座標に基づいて、外壁の面積や辺の長さ、開口部の周長、屋根の面積、軒先の長さなど積算に必要となる計測値を算出する。
【００２８】
このように積算を行う際には、部材によって使用する計測値の種類（面積、長さ、周長）が異なるため、少なくとも計測値の種類と各部材の単価（材料単価）が記憶された部材登録データを作成しておく。
【００２９】
この部材登録データには、この他にも複数種類の壁部材や屋根部材を登録する際などの識別子として利用する部材のタイプ名や、部材を使用するのに伴って必要となる関連部材を関連付けるグループ名、部材名称、数量の単位などのデータを記憶させておくのが好ましい。
【００３０】
そして、積算処理部７では、計測処理部６で算出した計測値と部材登録データとから積算値を算出する。
【００３１】
このようにして算出された結果は、モニタ８ｂやプリンタ８ａなどの出力手段８から出力される。
【００３２】
次に、本実施の形態の外装建材積算システム１の処理の流れについて説明する。
【００３３】
図２は、この外装建材積算システム１の処理の流れを示したフローチャートである。
【００３４】
まず、ＦＡＸで送られてきた平面図及び立面図を、スキャナ２ａを使って読み込む（ステップＳ１）。
【００３５】
図４は、読み込んだ読込み平面図１１をそのままひずみ修正画面１０に表示させた図である。この読込み平面図１１は、Ｘ軸方向の縮尺の方がＹ軸方向の縮尺に比べて大きいため、両方の縮尺を同じにするひずみ修正処理をおこなう（ステップＳ２）。
【００３６】
ここでは、図４右上の基準寸法登録画面１４を選択し、Ｘ軸基準線登録ボタン１４ｂを押し、ひずみ修正画面１０上でマウス２ｂのポインタ（図示せず）を建物のＸ軸方向の長さを示した寸法線に合わせて描画し、Ｘ軸基準線１２として指定する。そして、このＸ軸基準線１２の実際の長さ（13,250mm）を図面から読み取って入力欄１４ｃに入力する。
【００３７】
同様に、Ｙ軸基準線登録ボタン１４ｄを押し、Ｙ軸基準線１３として建物のＹ軸方向の長さを示した寸法線を指定し、実際の長さ（7500mm）を入力欄１４ｅに入力する。
【００３８】
また、このようにして指定されたＸ軸基準線１２とＹ軸基準線１３は、両端の座標値から画面上の長さを算出することができる。
【００３９】
そして、この算出された画面上の長さと入力した実際の長さとの比率をそれぞれ計算してＸ軸方向とＹ軸方向の縮尺を求め、双方の縮尺を一致させるために図面を一方向に伸長若しくは縮小又は両方向に伸縮させる。
【００４０】
なお、補助線ボタン１４ｆは、格子状の補助線の表示・非表示の切替えに使用する。
【００４１】
図５は、Ｘ軸方向とＹ軸方向の縮尺が同じになるように修正された１階平面図２４を部位指定画面２０に表示させた図である。
【００４２】
この部位指定画面２０を使用して、壁、バルコニー、桁、開口部などの部位の指定をおこなう（ステップＳ３、Ｓ４）。
【００４３】
ここでは、まず階選択ボタン２９を押して壁の指定をおこなう１階平面図２４を表示させ、壁指定ボタン２１ａを押してマウス２ｂのポインタを建物の外壁に合わせ、その外壁に沿って線を描画して壁線２４ａとして指定し、保存ボタン２８ｄを押して壁線２４ａの交点又は端点の平面座標を記憶させる。
【００４４】
また、高さに関する情報は、画面左側の高さ入力欄２２にキーボード２ｃから入力するか又は予め登録されているデータから選択して指定する。
【００４５】
図６は、階選択ボタン２９を押して２階平面図２５を部位指定画面２０に表示させた図である。
【００４６】
この２階の外壁の指定は、１階で指定したときと同様に壁指定ボタン２１ａを押しておこない、外壁を壁線２５ａとして指定する。
【００４７】
また、この２階には、外壁の他にバルコニーもあるため、バルコニー指定ボタン２１ｃを押して、マウス２ｂのポインタをバルコニーに合わせ、そのバルコニーに沿って線を描画してバルコニー線２５ｂとして指定し、保存ボタン２８ｄを押してバルコニー線２５ｂ，２５ｂの交点又は端点の平面座標を記憶させる。
【００４８】
さらに、窓や扉などの開口部の指定を各階の平面図に対しておこなう。
【００４９】
この開口部の指定は、図５又は図６の部位指定画面２０の開口部指定ボタン２１ｄを押して図７に示す開口部指定画面１１０を表示させ、予め登録された開口部のデータを属性選択欄１１１から選んだ後に、部位指定画面２０に表示された平面図２４，２５の窓などを指定しておこなう。
【００５０】
ここで、開口部のデータとしては、「床からの高さ」、「開口部の高さ」、「開口部の幅」、「開口部の出」、「開口分割数」、「表示線の色」などが登録されており、既定の形状の開口部であればこの登録データから選択すればよい。
【００５１】
また、ここで説明している建物は２階が最上階となるので、２階平面図２５を使って屋根に関する情報として桁の指定をおこなう。
【００５２】
この桁の指定は、図８に示すように桁指定ボタン２１ｂを押しておこない、桁線２５ｃの交点又は端点の平面座標を記憶させる。
【００５３】
また、桁の平面座標に関するデータの他に、屋根を生成させるのに必要なデータを、画面右上の桁属性入力欄２３に入力する。この桁属性入力欄２３に入力又は選択するデータには、「軒の出」、「屋根の勾配」、寄棟や切妻やフラット等の「軒桁属性」、「鼻板勾配」、「鼻板長さ」、「瓦の出」などがある。
【００５４】
以上のようにして必要なデータを入力し、部位指定画面２０の自動屋根生成ボタン２６を押すと、図８に破線で示したように屋根線２６ａが生成される。すなわち、軒の出と屋根勾配から降り棟、本棟、けらば、妻桁の各頂点の３次元座標を算出して記憶させる。
【００５５】
また、自動雨樋生成ボタン２７を押すと屋根の外縁に沿って雨樋線２７ａが表示される。この雨樋の割付は、桁線２５ｃの描画開始点を起点に基準長さで割り振っておこなう。
【００５６】
すなわち、自動生成して記憶させた屋根の各軒先頂点の座標を読み出し、軒先に取り付ける軒樋（雨樋線２７ａ）の長さを計算し、接続部材（図示せず）の位置と個数を計算して積算用に記憶させるとともに、軒樋長さと落とし口間距離から落とし口（図示せず）の位置と個数を計算して同じく積算用に記憶させる。
【００５７】
また、記憶された桁の属性から屋根隅部の種類を判断して、寄棟と寄棟が隣接する出隅の出隅部材と、入隅の入隅部材と、寄棟、切妻又は壁の止まり部材の位置と個数を積算用に記憶させる。
【００５８】
さらに、上記で記憶させた落とし口位置を読み込み、落とし口位置から隣接する壁に一番近い縦樋落とし口位置を計算して記憶させ、その施工位置の属性から予め記憶させておいた必要部材の種類と個数を読み込んで積算用に記憶させる。
【００５９】
雨樋には水平方向に配設される軒樋と鉛直方向に配設される縦樋があり、平面図又は立面図の一方からだけでは両方を拾い出しにくいが、このように３次元化された図面データを利用して生成させた雨樋を表示させれば、雨樋が配設されていない部分を目視で確認できるので、漏れなく正確に雨樋を拾い出すことができる。
【００６０】
このようにして生成された屋根線２６ａや雨樋線２７ａの交点又は端点の座標は、保存ボタン２８ｄを押すことによって記憶される。
【００６１】
このように図面の３次元化をおこなった後は（ステップＳ５、図２）、屋根表示ボタン２８ａ、立面図表示ボタン２８ｂ、３次元表示ボタン２８ｃを押すことによって、屋根、立面図又は立体図の表示に切替えることができる。
【００６２】
図９は、図表示ボタン３３を押して、建物の３次元外形図３４を３次元表示画面３０に表示した図である。
【００６３】
この３次元表示画面３０の規定方向ボタン３１を押せば、東西南北の決められた方向から見た建物の外形図（立面図）を見ることができ、任意方向指定欄３２で回転角を入力すれば様々な方向から立体的に建物の外形を見ることができる。
【００６４】
このように３次元外形図３４を表示させて建物の外観を見渡すことで、平面図や立面図などの２次元図面だけでは見落としがちな部位も確認することが出来るので、数量の拾い漏れを減らすことができる。
【００６５】
なお、開口部については、登録された既定の形状のものであれば上記したように指定することができるが、任意の形状の開口部は以下のようにして指定することができる。
【００６６】
図１０は、図８の立面図表示ボタン２８ｂを押して、立面図選択画面４０に生成立面図４１表示させるとともに、図挿入ボタン４４を押してスキャナ２ａで読み込ませた挿入立面図４２ａ〜４２ｄを表示させた図である。
【００６７】
この図１０に表示された生成立面図４１と挿入立面図４２ａ〜４２ｄは縮尺が異なっているため、拡大ボタン４３ａ又は縮小ボタン４３ｂを押して、表示された生成立面図４１と同じ方角から見た挿入立面図４２ａとを一致させる。
【００６８】
図１１は、南から見た挿入立面図４２ａ上に生成立面図４１を重ねて表示させた図である。
【００６９】
生成立面図４１は、図１０に示すように屋根部材と壁部材と基礎部の各領域４１ａ〜４１ｈに分かれており、例えば図１１のように１階右側の領域４１ｆにマウス２ｂのポインタ（図示せず）を合わせるとその内部の開口部の指定がおこなえるようになる。
【００７０】
開口部を指定するためには、立面図選択画面４０の拾い出しボタン４７をおして、小ウインドウとして図１２の計測画面９０を開いて操作をおこなう。
【００７１】
この領域４１ｆは壁であるので、まず計測画面９０の部位選択ボタン９４ｂを押して壁部材を選択する。なお、部位選択ボタン９４ａは屋根部材を選択する際に、部位選択ボタン９４ｃは新規に作成した面を選択する際に押す。
【００７２】
そして、選択欄９１，９２で後述する登録グループ、属性の選択をおこない、選択欄９３では部材名称として開口部を選択する。ここで、開口部は、数量算出時に対象面である「壁」に対して「面積を抜く」扱いになる。
【００７３】
この状態で、選択ボタン９５を押してマウス２ｂのポインタを近づけて領域４１ｆを選択し、登録ボタン９６を押してその領域４１ｆの登録をおこなう。
【００７４】
さらに、線、矩形、自由線の描画ボタン９８ａ〜９８ｃのいずれかを押して領域４１ｆ内の窓を描画して開口部線４６を指定する（図１１参照）。この開口部の指定作業は、玄関ドアに対してもおこなう。
【００７５】
その後、登録ボタン９６を押すと測定値表示欄９７に開口部の周長が表示されるとともにその計測値が記憶される。
【００７６】
この計測画面９０では、領域４１ａ〜４１ｈ毎の各部材の面積や長さの計測をおこなうことができる。
【００７７】
また、図１３は、同様にして屋根に関連する任意形状の部材指定をおこなう計測画面９０の表示例である。
【００７８】
ここでは、屋根の部位選択ボタン９４ａを押した後に、選択欄９１〜９３の選択をおこない、選択ボタン９５を押した後に屋根の領域４１ａ，４１ｂのいずれかをマウス２ｂで指定し、登録ボタン９６を押して登録をおこなうと、測定値が測定値表示欄９７に表示される。
【００７９】
次に、登録データを読み込むステップＳ６（図２）で使用される部材登録データの登録方法を、図３及び図１４〜１７を参照しながら説明する。
【００８０】
まず、データ登録画面を選択するために（ステップＳ１０）、図１４に示す操作選択画面５０を開く。
【００８１】
この操作選択画面５０の邸名入力欄５１は、積算をおこなう邸宅の名称を記入する欄である。また、顧客データボタン５２を押すと、建設される建物のタイプなどの顧客データの入力ができる。
【００８２】
さらに、図面読込みボタン５３はスキャナ２ａで図面を読み込む際に押し、図面種類選択ボタン５４ａ，５４ｂは表示させる図面を平面図にするか、立面図（図９、立面図を回転させると３次元図になる。）にするかを選択する際に押す。
【００８３】
そして、部材データを登録する際には部材登録ボタン５６（「マスター」）を押すと、図１５の部材登録メイン画面６０が開く。
【００８４】
この部材登録メイン画面６０でタイプ登録やグループ登録をおこなう（ステップＳ１１）。
【００８５】
まず、屋根部材欄６２又は壁部材欄６３のグループ名を入力する登録選択ボタン６２ａ，６３ａを押して、グループ名の登録をおこなう。
【００８６】
グループ名を登録した後に、部材登録メイン画面６０の屋根部材又は壁部材の登録選択ボタン６２ｂ，６３ｂを押して部材を選択し（ステップＳ１２）、図１６の部材登録画面７０を開く。
【００８７】
この図１６は屋根部材の登録を説明する図であり、この部材登録画面７０から部材の登録をおこなう（ステップＳ１３）。
【００８８】
まず、入力・選択欄７１〜７５のうち、最上段の入力・選択欄７１に部材名称を入力する。この屋根部材の部材名称としては、「軒先」、「雪止め金具」、「片流棟」、「けらば」等を入力する。
【００８９】
また、入力・選択欄７２では計測値の種類が面積、長さ（「線」）又は周長のいずれであるかを指定する属性を選択し、入力・選択欄７３では基準面積から部材面積を抜く場合の「面積を抜く」か、基準面積から部材面積を抜かない場合の「面積を抜かない」であるかを選択する。
【００９０】
また、入力・選択欄７４では、この部材を図面上にどの程度の線の幅又は点の半径で描画するかを指定し、入力・選択欄７５では計測値の単位の選択をおこなう。
【００９１】
さらに、テクスチャー登録欄７６では、屋根部材のテクスチャーのグループや名称の選択をおこなう。
【００９２】
そして、登録ボタン７７を押すことによって、以上の入力又は選択したデータが指定したグループの屋根部材データとして登録される。
【００９３】
屋根部材データの登録後は、部材登録メイン画面６０に再び戻って屋根部材の関連部材の登録選択ボタン６２ｃを押して（ステップＳ１４）、図１７の関連部材登録画面８０を表示させて関連部材の登録をおこなう（ステップＳ１５）。
【００９４】
ここでは、部材登録メイン画面６０で登録した部材名称のいずれかを選択欄８１で選択すると、その部材の属性や線の幅などが部材名称の右側に表示される。
【００９５】
そして、この部材を使用する際に必要となる関連部材の名称を入力・選択欄８２に入力する。
【００９６】
この関連部材に関しては、経験則などから得られる材料ロス率、計測値の単位、材料単価、工事単価などを、入力・選択欄８３〜８６に入力又は選択して指定する。
【００９７】
また、入力・選択欄８７には、関連部材の数量が面積、長さ又は周長などから直接、算出されないような部材個数などを算出する関係式を入力し、登録ボタン８８を押すことによってこれらのデータの登録をおこなう。
【００９８】
登録後は、再び部材登録メイン画面６０に戻って単価管理又は屋根テクスチャーの登録選択ボタン６２ｄ，６２ｅを押して、積算に必要なデータの登録をおこなう。
【００９９】
ここでは、屋根部材について説明を行ったが、壁部材欄６３の登録選択ボタン６３ａ〜６３ｅも同様の機能であり、上記と同じようにして壁部材及び壁関連部材の登録をおこなう。
【０１００】
さらに、自動拾い出し部材登録ボタン６５を押せば、３次元外形図３４の３次元座標に基づいて算出されたすべての計測値（面積、長さ、周長）と登録済み部材とを関連付けて登録することができる。
【０１０１】
そして、このように構成することで、計測画面９０（図１２，１３）を表示させて部材を指定する作業をその都度おこなわなくとも、積算に必要な関連する部材の拾い出しを自動的におこなわせることができる。
【０１０２】
また、雨樋部材を登録するには、部材登録メイン画面（図１５）の雨樋欄６４の登録選択ボタン６４ａ〜６４ｃを押して、雨樋の品番登録、単価管理、雨樋タイプ登録などの登録をおこなう。
【０１０３】
以上で説明した部材データの登録は、通常は図面の読み込みを行う前におこなっておき、別の建物の積算を行う場合にも共通して使用することができる。また、図面を読み込んだ後で部材データ又は関連部材データの不足に気がついたときには、いつでも追加して部材データの登録をおこなうことができる。
【０１０４】
そして、図２のステップＳ６でこのようにして登録した部材登録データを読み込み、ステップＳ５までに取得又は生成した計測値と部材登録データとを掛け合わせるなどして積算値を算出し、その積算値を整理して積算表を作成する（ステップＳ７）。
【０１０５】
例えば、屋根部材の積算を行う場合は、操作選択画面５０（図１４）の積算処理ボタン５８を押して屋根部材の積算をおこなう。
【０１０６】
図１８は、屋根部材の積算結果を出力した屋根材積算表１０１を示した図である。このように屋根部材の積算処理をおこなうと屋根の施工に必要な部材がまとめて出力される。
【０１０７】
ここで、図１８の「Ａ」は屋根部材のグループ名、「屋根材本体」は屋根表面に配設される屋根材、「ルーフィング」は屋根材の下に敷設される下地材、「付属品釘」は下地材に関連して登録された付属品、「本棟」や「軒先」や「軒天面積」は部材名称、「片流れ棟包」や「スターター」は屋根関連部材名称を示す。
【０１０８】
また、雨樋材料の積算を行う場合は、操作選択画面５０（図１４）の積算処理ボタン５７を押して雨樋材料の積算をおこなう。
【０１０９】
図１９は、雨樋材料の積算結果を出力した雨樋材積算表１０２を示した図である。このように雨樋材料の積算処理をおこなうと雨樋の施工に必要な部材が、「のき樋」関係の部材と「たて樋」関係の部材に分かれて出力される。
【０１１０】
さらに、壁部材の積算を行う場合は、操作選択画面５０（図１４）の積算処理ボタン５９を押して壁部材の積算をおこなう。
【０１１１】
図２０は、壁部材の積算結果を出力した壁材積算表１０３を示した図である。このように壁部材の積算処理をおこなうと壁の施工に必要な部材がまとめて出力される。
【０１１２】
ここで、図２０の「Ａ」は壁部材のグループ名、「釘打ち用サイジング」は外壁となる壁材、「防水シート」や「補修液」は壁材に関連して登録された付属品、「出隅」や「見切り縁」は部材名称、「シーリング」や「補修液」は壁関連部材名称を示す。
【０１１３】
また、上記材料費に工事費を加算した見積書は、図１４の見積書作成ボタン５５を押して作成する。
【０１１４】
見積書を作成する際は、まず図２１に示すような見積検討画面１２０を表示させ、工事費関係入力欄１２１に工事費の算出に必要となる数値を入力する。
【０１１５】
すなわち、工事費を入力欄１２１ａに入力し、工事費の利益率を入力欄１２１ｂに入力して計算ボタン１２１ｃを押すと、工事費利益額及び見積書に表示させる工事費が計算されて表示される。
【０１１６】
また、材料費関係入力欄１２２においては、壁材積算表１０３（図２０参照）の請求額（kkkk円）が材料費の表示欄１２２ａに取り込まれて表示され、材料費の利益率を入力欄１２２ｂに入力して計算ボタン１２２ｃを押すと、材料費利益額及び見積書に表示させる材料費が計算されて表示される。
【０１１７】
これらの計算は、何度でもやり直すことができるので、見積額が適当な金額になるまで工事費や利益率を変更して試算を繰り返してもよい。
【０１１８】
また、見積検討画面１２０下の計算ボタン１２３を押すと工事費と材料費を一度に計算することができ、確定ボタン１２４を押すことによって見積検討画面１２０に表示された結果に基づいた見積書（図示せず）が出力される。
【０１１９】
さらに、本実施の形態の外装建材積算システム１では、建物の外観を３次元で表示させることができる。
【０１２０】
建物の外観を表示させるには、図１４に示した操作選択画面５０の図面種類選択ボタン５４ｃ（「３Ｄ」）を押して、図２２の外観表示画面１３０を表示させる。
【０１２１】
この外観表示画面１３０では、上記において指定した屋根材テクスチャー及び壁テクスチャーを貼り付けた建物の３次元外観図１３１を表示させることができる。
【０１２２】
この３次元外観図１３１は、Ｘ軸回転角、Ｙ軸回転角及びＺ軸回転角を入力することによって任意の方向に向けることができるので、部材の拾い漏れがあれば目視によって容易に確認することができる。
【０１２３】
このように本実施の形態の外装建材積算システム１によれば、スキャナ２ａによって平面図を読み込んで、その平面図と高さ情報から建物の３次元外形図３４を生成し、その３次元座標から算出される数量と登録された部材登録データとによって屋根部材、壁部材、雨樋部材及びそれらに関連する部材などの外装建材の積算をおこなう。
【０１２４】
このため、平面図が入手できれば簡単、かつ正確に部材数量を算出することができる。また、建物の３次元外形図３４によって建物の形状を正確に把握できるので、選択した部材を画面上に表示させることによって部材の選択漏れの有無を容易に知ることができる。
【０１２５】
また、立面図を読み込むことで、既定外寸法の開口部がある建物でも容易にその形状を取り込むことができる。
【０１２６】
さらに、積算に使用する部材登録データは、建物毎に作成する必要がないので、材料単価を調べたりする手間を省くことができる上に、積算結果を均一にすることができる。
【０１２７】
また、平面図の直交する２軸の縮尺を同じにするひずみ処理部４を設けることによって、ＦＡＸなどで送られてきた歪んだ平面図からも正確に積算をおこなうことができる。
【０１２８】
さらに、部材登録データに各部材の使用に付随して使用される関連部材の情報を記憶させておくことで、必要な部材を漏れなく一括して積算することができる。
【０１２９】
また、部材毎に積算結果を出力することで、部材を取り扱う建築資材メーカ毎の積算表１０１〜１０３を容易に作成することができる。
【０１３０】
さらに、見積検討画面１２０で工事費や利益率の調節をおこなうことで、見積りの試算を容易に繰り返すことができる。
【０１３１】
以上、図面を参照して、本発明の最良の実施の形態を詳述してきたが、具体的な構成は、この実施の形態に限らず、本発明の要旨を逸脱しない程度の設計的変更は、本発明に含まれる。
【０１３２】
例えば、前記実施の形態では、壁線２４ａ，２５ｂとバルコニー線２５ｂと桁線２５ｃとをそれぞれ指定したが、これに限定されるものではなく、例えば２階の壁線２５ｂと桁線２５ｃの平面座標が同じであれば、桁線２５ｃは内部処理によって生成させてもよい。
【０１３３】
また、前記実施の形態では、平面図と立面図の両方を読み込んで利用したが、開口部の形状が登録された既定の形状、又は開口部指定画面１２０で指定可能な形状であれば立面図を読み込む必要はない。
【図面の簡単な説明】
【０１３４】
【図１】本発明の最良の実施の形態の外装建材積算システムの概略構成を示した図である。
【図２】本発明の最良の実施の形態の外装建材積算システムの処理の流れを説明するフローチャートである。
【図３】部材データの登録の流れを説明するフローチャートである。
【図４】図面のひずみを修正するひずみ修正画面の表示例を示した図である。
【図５】部位指定画面に１階平面図を表示した例を示した図である。
【図６】部位指定画面に２階平面図を表示した例を示した図である。
【図７】開口部指定画面の表示例を示した図である。
【図８】部位指定画面に自動生成させた屋根と雨樋を表示した例を示した図である。
【図９】３次元表示画面に３次元外形図を表示した例を示した図である。
【図１０】読み込まれた立面図を立面図選択画面に表示した例を示した図である。
【図１１】立面図選択画面上で生成立面図と挿入立面図を一致させた例を示した図である。
【図１２】計測画面に壁部材に関する表示をした例を示した図である。
【図１３】計測画面に屋根部材に関する表示をした例を示した図である。
【図１４】操作選択画面の表示例を示した図である。
【図１５】部材登録メイン画面の表示例を示した図である。
【図１６】部材登録画面の表示例を示した図である。
【図１７】関連部材登録画面の表示例を示した図である。
【図１８】屋根材積算表の出力例を示した図である。
【図１９】雨樋材積算表の出力例を示した図である。
【図２０】壁材積算表の出力例を示した図である。
【図２１】見積検討画面の表示例を示した図である。
【図２２】外観表示画面に３次元外観図を表示した例を示した図である。
【符号の説明】
【０１３５】
１            外装建材積算システム
２            入力手段
４            ひずみ処理部
５            ３次元処理部
６            計測処理部
７            積算処理部
８            出力手段
３４          ３次元外形図
１０１        屋根材積算表（積算結果）
１０２        雨樋材積算表（積算結果）
１０３        壁材積算表（積算結果）
【図１】
2007080013.tif 000003
【図２】
2007080013.tif 000004
【図３】
2007080013.tif 000005
【図４】
2007080013.tif 000006
【図５】
2007080013.tif 000007
【図６】
2007080013.tif 000008
【図７】
2007080013.tif 000009
【図８】
2007080013.tif 000010
【図９】
2007080013.tif 000011
【図１０】
2007080013.tif 000012
【図１１】
2007080013.tif 000013
【図１２】
2007080013.tif 000014
【図１３】
2007080013.tif 000015
【図１４】
2007080013.tif 000016
【図１５】
2007080013.tif 000017
【図１６】
2007080013.tif 000018
【図１７】
2007080013.tif 000019
【図１８】
2007080013.tif 000020
【図１９】
2007080013.tif 000021
【図２０】
2007080013.tif 000022
【図２１】
2007080013.tif 000023
【図２２】
2007080013.tif 000024